(57)【要約】【課題】  ユーザの身分証明書に記載されているユーザ情報と、申込書に記載されているユーザ情報との照合を自動化することにより、ユーザ認証を高速に行うことができる認証装置及び認証方法を提供する。【解決手段】  ネットワーク２を介してユーザのユーザ情報を受信する通信手段１１と、ユーザの身分証明書の画像データを取得するデータ取得手段１２と、データ取得手段１２が取得した画像データから、ユーザ情報を抽出するユーザ情報抽出手段１３を有する。また、通信手段１１が受信したユーザ情報と、ユーザ情報抽出手段１３が抽出したユーザ情報とを比較し、それらのユーザ情報が一致するか否かを判定する認証手段１６と、認証手段１６の判定結果に基づいて、ユーザ情報が一致する場合と一致しない場合とに分類してユーザ情報を記録するユーザ情報蓄積手段１９を有する。【選択図】  図４
2006345062.tif 000002
【特許請求の範囲】
【請求項１】
ユーザを認証するための認証装置であって、
ネットワークを介して前記ユーザのユーザ情報を受信する通信手段と、
前記ユーザの身分証明書の画像データを取得するデータ取得手段と、
前記データ取得手段が取得した画像データから、ユーザ情報を抽出するユーザ情報抽出手段と、
前記通信手段が受信したユーザ情報と、前記ユーザ情報抽出手段が抽出したユーザ情報とを比較し、それらのユーザ情報が一致するか否かを判定する認証手段と、
前記認証手段の判定結果に基づいて、ユーザ情報が一致する場合と一致しない場合とに分類して前記ユーザ情報を記録するユーザ情報蓄積手段と、
を有することを特徴とする認証装置。
【請求項２】
前記身分証明書の種類の情報と、前記身分証明書のどの領域に何のユーザ情報が記録されているかについての情報とを含むフォーマット情報を記録するフォーマット記憶手段を更に有し、
前記ユーザ情報抽出手段は、前記フォーマット記憶手段に記録されているフォーマット情報に基づいて、前記データ取得手段が取得する画像データからユーザ情報を抽出することを特徴とする請求項１に記載の認証装置。
【請求項３】
前記認証手段によりユーザ情報が一致しないと判定された場合に、正しいユーザ情報の入力を求める警告を発する警告手段を更に有することを特徴とする請求項１又は２に記載の認証装置。
【請求項４】
ユーザを認証するための認証方法であって、
ネットワークを介して前記ユーザのユーザ情報を受信する第１のステップと、
前記ユーザの身分証明書の画像データを取得する第２のステップと、
前記第２のステップで取得した画像データから、ユーザ情報を抽出する第３のステップと、
前記第１のステップで受信したユーザ情報と、前記第３のステップで抽出したユーザ情報とを比較し、それらのユーザ情報が一致するか否かを判定する第４のステップと、
前記第４のステップでの判定結果に基づいて、ユーザ情報が一致する場合と一致しない場合とに分類して前記ユーザ情報を記録する第５のステップと、
を有することを特徴とする認証方法。
【発明の詳細な説明】
【技術分野】
【０００１】
本発明は、申込書及び身分証明書の照合を行うことにより、ユーザの認証を行うための認証装置及び認証方法に関する。
【背景技術】
【０００２】
従来から、インターネットに接続可能なＰＣ（Personal Computer）などのユーザ端末を利用可能なユーザが、インターネットを介していろいろなサービスを受ける技術が知られている。例えば、ユーザがユーザ端末を使用してインターネット経由で銀行等のサイトに接続し、そのサイト上でユーザの氏名、住所、本籍、生年月日などのユーザ情報を入力することにより、銀行口座の開設等のサービスを受けることができる技術が知られている。
この技術では、インターネット経由でユーザ情報を受信した銀行は、ユーザの住所宛てに銀行口座開設のための申込書を郵送し、ユーザはその申込書に運転免許証や保険証などの身分証明書のコピーを添付して、銀行宛てに返送していた。銀行の従業員は、その身分証明書のコピーに記載されているユーザ情報を銀行の従業員が使用する銀行員端末のキーボードから入力することにより電子データ化し、インターネット経由で受信したユーザ情報の電子データと照合していた。
【発明の開示】
【発明が解決しようとする課題】
【０００３】
しかしながら、上述した技術では、銀行の従業員が、ユーザから送付されてきた身分証明書のコピーに記載されているユーザ情報を電子データ化した後、インターネット経由で受信したユーザ情報の電子データと照合していたため、銀行口座開設等の手続きに伴う銀行の従業員等の労力が大きいという問題があった。また、それに伴い、銀行口座開設等の手続きが遅延し、ユーザが銀行との取り引きを開始できる時期が遅くなるという問題があった。
【０００４】
本発明は、上記事情に鑑みてなされたものであり、その目的は、ユーザの身分証明書に記載されているユーザ情報と、申込書に記載されているユーザ情報との照合を自動化することにより、ユーザ認証を高速に行うことができる認証装置及び認証方法を提供することにある。
【課題を解決するための手段】
【０００５】
本発明は、上記課題を解決するためになされたもので、請求項１に記載の発明は、ユーザを認証するための認証装置であって、ネットワークを介して前記ユーザのユーザ情報を受信する通信手段と、前記ユーザの身分証明書の画像データを取得するデータ取得手段と、前記データ取得手段が取得した画像データから、ユーザ情報を抽出するユーザ情報抽出手段と、前記通信手段が受信したユーザ情報と、前記ユーザ情報抽出手段が抽出したユーザ情報とを比較し、それらのユーザ情報が一致するか否かを判定する認証手段と、前記認証手段の判定結果に基づいて、ユーザ情報が一致する場合と一致しない場合とに分類して前記ユーザ情報を記録するユーザ情報蓄積手段とを有することを特徴とする認証装置である。
【０００６】
また、請求項２に記載の発明は、前記身分証明書の種類の情報と、前記身分証明書のどの領域に何のユーザ情報が記録されているかについての情報とを含むフォーマット情報を記録するフォーマット記憶手段を更に有し、前記ユーザ情報抽出手段は、前記フォーマット記憶手段に記録されているフォーマット情報に基づいて、前記データ取得手段が取得する画像データからユーザ情報を抽出することを特徴とする請求項１に記載の認証装置である。
【０００７】
また、請求項３に記載の発明は、前記認証手段によりユーザ情報が一致しないと判定された場合に、正しいユーザ情報の入力を求める警告を発する警告手段を更に有することを特徴とする請求項１又は２に記載の認証装置である。
【０００８】
また、請求項４に記載の発明は、ユーザを認証するための認証方法であって、ネットワークを介して前記ユーザのユーザ情報を受信する第１のステップと、前記ユーザの身分証明書の画像データを取得する第２のステップと、前記第２のステップで取得した画像データから、ユーザ情報を抽出する第３のステップと、前記第１のステップで受信したユーザ情報と、前記第３のステップで抽出したユーザ情報とを比較し、それらのユーザ情報が一致するか否かを判定する第４のステップと、前記第４のステップでの判定結果に基づいて、ユーザ情報が一致する場合と一致しない場合とに分類して前記ユーザ情報を記録する第５のステップとを有することを特徴とする認証方法である。
【発明の効果】
【０００９】
本発明では、通信手段が受信するユーザ情報と、データ取得手段が取得する画像データから抽出されるユーザ情報とが一致するか否かについて判定し、それらが一致する場合と一致しない場合とに分類して、そのユーザ情報をユーザ情報蓄積手段に記録するようにした。
これにより、データ取得手段に画像データを入力するだけで、ユーザの認証を自動的に行うことができるとともに、ユーザの認証を高速に行うことができるため、認証装置の利用者の労力を軽減することが可能となる。
【発明を実施するための最良の形態】
【００１０】
以下、図面を参照し、本発明の実施形態について説明する。
始めに、本発明の第１の実施形態による認証システムについて説明する。本実施形態では、ユーザが銀行口座を開設するための手続きを行う場合を例に挙げて説明する。
図１は、本実施形態による認証システムでのユーザと銀行の従業員との手続きの流れを示す図である。始めに、ユーザは、ユーザ端末１を利用してインターネット等のネットワーク２に接続し、銀行口座の開設を希望する銀行のサイトに接続する。ユーザ端末１の表示画面には、図２に示すような画面が表示される。ユーザは、この画面を参照することにより、ユーザ端末１から氏名、住所、本籍、生年月日等の情報を含むユーザ情報を、ネットワーク２を経由して、銀行の認証端末１０ａに送信する（図１のステップＳ０１）。このユーザ情報は、銀行に設置されている認証端末１０ａのデータベースに記録される。
【００１１】
銀行の従業員は、ユーザ情報に基づいてユーザの住所宛てにユーザ本人を確認するための図３に示すような申込書を郵送により送付する（ステップＳ０２）。申込書には、運転免許証、保険証、住民票などの身分証明書のコピーを貼り付ける身分証明書添付欄が設けられている。また、申込書には、ユーザがユーザ端末１によりネットワーク２を介して、認証装置１０ａに接続した際に付与される「００００１」などの受付番号が記入されている。
ユーザは、その申込書の身分証明書添付欄に身分証明書のコピーを貼り付け（ステップＳ０３）、郵送などにより銀行へ返送する（ステップＳ０４）。
【００１２】
銀行の従業員は、その申込書を受け取ると、スキャナなどの画像読取装置３により、その申込書の画像データを取り込む。画像読取装置３により読み取られた画像データは、認証装置１０ａに入力される。（ステップＳ０５）、認証装置１０ａは、データベースに記録されているユーザ情報と、画像読取装置３により読み取られた画像データから抽出されるユーザ情報とを電子データ化した後に照合する。
銀行の従業員は、電子データ化されたユーザ情報に基づいて、そのユーザの銀行口座を開設する（ステップＳ０６）。
【００１３】
図４は、本実施形態による認証装置１０ａの構成を示すブロック図である。この認証装置１０ａは、通信手段１１、データ取得手段１２、ユーザ情報抽出手段１３、フォーマット記憶手段１４、比較手段１５、認証手段１６、表示手段１７、入力手段１８、ユーザ情報蓄積手段１９、データ入出力手段２０を有する。
通信手段１１は、ネットワーク２を介して、ユーザ端末１に接続されている。ネットワーク２は、インターネットなどである。また、ユーザ端末１としては、ＰＣなどの端末が使用される。通信手段１１は、ネットワーク２を介して、ユーザ端末１から送信されるユーザ情報を受信する。
【００１４】
画像取込手段３はスキャナなどにより構成され、書類等をスキャニングすることにより、画像データを生成する。データ取得手段１２は、画像取込手段３により生成される画像データを取得し、ユーザ情報抽出手段１３へ出力する。
フォーマット記憶手段１４は、運転免許証や保険証、住民票などの身分証明書の形状や枠線の位置などについての情報を各種身分証明書毎にテンプレート情報として記憶するとともに、それらの身分証明書の枠線内の領域に何のユーザ情報が記載されているかについて記憶する。また、フォーマット記憶手段１４には、申込書の受付番号が記載されている位置の情報が記憶されている。
【００１５】
ユーザ情報抽出手段１３は、データ取得手段１２から出力される画像データが、どの身分証明書に該当するかについて、フォーマット記憶手段１３を参照することにより決定する。また、ユーザ情報抽出手段１３は、決定された身分証明書のどの領域に何のユーザ情報が記載されているかについての情報を、フォーマット記憶手段１４を参照することにより取得する。これらの情報に基づいて、ユーザ情報抽出手段１３は、画像データからユーザ情報が記載されている位置、及び、受付番号が記載されている位置を特定し、ＯＣＲ（Optical Character Reader）の機能を利用することなどによりユーザ情報及び受付番号を抽出する。
【００１６】
比較手段１５は、通信手段１１から出力されるユーザ情報及び受付番号と、ユーザ情報抽出手段１３が抽出したユーザ情報及び受付番号とを比較することにより、両者の情報が一致するか否かについて、受付番号、氏名、住所、本籍、生年月日、・・・ごとに比較する。表示手段１７は、例えば、ＬＣＤ（Liquid Crystal Display）などの表示装置である。また、入力手段１８は、例えば、キーボードなどの入力装置である。
認証手段１６は、比較手段１５が比較するユーザ情報の受付番号、氏名、住所、本籍、生年月日、・・・が一つでも一致しない場合には、表示手段１７に「データが一致していません」というようなメッセージを表示したり警告音を出力することにより警告を行う。
【００１７】
なお、通信手段１１から出力されるユーザ情報及び受付番号と、データ取得手段１２が取得する画像データの双方を表示手段１７に並べて表示することにより、認証装置１０を使用する銀行の従業員が双方のデータを比較できるようにしてもよい。銀行の従業員は、入力手段から正しいユーザ情報、受付番号を入力する。
比較手段１５が比較するユーザ情報の受付番号、氏名、住所、本籍、生年月日、・・・が全て一致する場合には、ユーザ情報が一致しない場合とは分類して、ユーザ情報蓄積手段１９は、ユーザ情報をユーザ情報蓄積手段１９に記録する。データ入出力手段２０は、銀行に設置されるＰＣなどの外部機器との間で、ユーザ情報の読み出しや修正を行う。
【００１８】
次に、本実施形態による認証装置１０ａの動作について説明する。
図５は、本実施形態による認証装置１０ａの処理の流れを示すフローチャートである。始めに、通信手段１１は、ユーザ端末１からネットワーク２を介して送信されるユーザ情報を受信する（ステップＳ１１）。受信したユーザ情報は、受付番号とユーザ情報と対応付けられて通信手段１１に記憶される。
画像取込手段３は、ユーザから郵送された申込書をスキャニングすることにより、申込書の画像データを生成する。データ取得手段１２は、画像取込装置３から出力される画像データを取得する（ステップＳ１２）。
【００１９】
ユーザ情報抽出手段１３は、データ取得手段１２が取得した画像データの身分証明書添付欄の身分証明書の形状や枠などの情報と、フォーマット記憶手段１４に記憶されている身分証明書の形状や枠などの情報とを対比することにより、その身分証明書の種類を特定する。また、種類を特定した身分証明書のどの領域に何のユーザ情報が記載されているのかについて、フォーマット記憶手段１４を参照することにより特定する。これらの情報に基づいて、ユーザ情報と受付番号の情報を抽出する（ステップＳ１３）。
【００２０】
比較手段１５は、通信手段１１が取得したユーザ情報及び受付番号と、ユーザ情報抽出手段１３が抽出したユーザ情報及び受付番号とを比較する（ステップＳ１４）。認証手段１６は、比較手段１５が比較した結果に基づいて、ユーザ情報に含まれる受付番号、氏名、住所、本籍、生年月日、・・・等の情報が全て一致するか否かについて認証を行う（ステップＳ１５）。受付番号、ユーザ情報に含まれる情報が一部でも一致しない場合には、ステップＳ１５で「Ｎｏ」と判定し、ステップＳ１６へ進む。そして、表示手段１７に「データが一致していません」等のメッセージを表示するなどの処理を行うことにより警告を発し、入力手段１８からユーザ情報の正しい情報を取得する（ステップＳ１６）。
【００２１】
一方、受付番号とユーザ情報に含まれる全ての情報が一致した場合には、ステップＳ１５で「Ｙｅｓ」と判定し、ステップＳ１７へ進む。そして、ユーザ情報をユーザ情報蓄積手段１９に記録する（ステップＳ１７）。銀行の従業員は、このユーザ情報蓄積手段１９に記録されているユーザ情報を、データ入出力手段２０を介して読み出すことにより、ユーザに対する銀行口座開設の処理を行う（ステップＳ１８）。
【００２２】
次に、本発明の第２の実施形態による認証システムについて説明する。本実施形態では、ユーザが銀行口座を開設するための手続きを行う場合を例に挙げて説明する。本実施形態が第１の実施形態と同じ構成を採る部分については、同一の符号を付してその説明を省略する。
図６は、本実施形態による認証システムでのユーザと銀行の従業員との手続きの流れを示す図である。始めに、ユーザは、銀行口座を開設する手続きを行うために、図７に示すような申込書を入手する。この申込書には、身分証明書のコピーを貼り付ける身分証明書添付欄、ユーザの氏名、住所、本籍、生年月日などのユーザ情報を記載する欄が設けられているとともに、「００００１」というように個々の申込書を識別するための受付番号が記載されている。なお、ここでは、身分証明書添付欄とユーザ情報を記載する欄を同じ用紙に設ける場合について説明しているが、別々の用紙に設けるようにしてもよい。
ユーザは、その申込書の身分証明書添付欄に身分証明書のコピーを貼り付け、郵送などにより銀行へ返送する（図６のステップＳ２１）。
【００２３】
銀行の従業員は、その申込書を受け取ると、スキャナなどの画像読取装置３により、その申込書の画像データを取り込む。画像読取装置３により読み取られた画像データは、認証装置１０ｂに入力される。（ステップＳ２２）、認証装置１０ｂは、画像読取装置３により読み取られた画像データから抽出されるユーザ情報と身分証明書の情報とを電子データ化した後に照合する。
銀行の従業員は、電子データ化されたユーザ情報に基づいて、そのユーザの銀行口座を開設する（ステップＳ２３）。
【００２４】
図８は、本実施形態による認証装置１０ｂの構成を示すブロック図である。第１の実施形態による認証装置１０ａ（図４参照）とは、通信手段１１を有しない点で相違している。
画像取込手段３はスキャナなどにより構成され、書類等をスキャニングすることにより、画像データを生成する。データ取得手段１２は、画像取込手段３により生成される画像データを取得し、ユーザ情報抽出手段１３へ出力する。
フォーマット記憶手段１４は、身分証明書の形状や枠線の位置などについての情報を各種身分証明書毎にテンプレート情報として記憶するとともに、それらの身分証明書の枠線内の領域に何のユーザ情報が記載されているかについて記憶する。また、フォーマット記憶手段１４は、申込書のどの領域に何のユーザ情報が記載されているかについて記憶する。また、フォーマット記憶手段１４には、申込書の受付番号が記載されている位置の情報が記憶する。
【００２５】
ユーザ情報抽出手段１３は、データ取得手段１２から出力される画像データが、どの身分証明書に該当するかについて、フォーマット記憶手段１３を参照することにより決定する。また、ユーザ情報抽出手段１３は、決定された身分証明書のどの領域に何のユーザ情報が記載されているかについての情報を、フォーマット記憶手段１４を参照することにより取得する。また、ユーザ情報抽出手段１３は、申込書のどの領域に何のユーザ情報が記載されているかについての情報を、フォーマット記憶手段１４を参照することにより取得する。これらの情報に基づいて、ユーザ情報抽出手段１３は、画像データから身分証明書及び申込書のユーザ情報が記載されている位置を特定し、ＯＣＲの機能を利用することなどによりユーザ情報及び受付番号を抽出する。
【００２６】
比較手段１５は、ユーザ情報抽出手段１３が抽出した身分証明書及び申込書のユーザ情報を比較することにより、両者のユーザ情報が一致するか否かについて、氏名、住所、本籍、生年月日、・・・ごとに比較する。
認証手段１６は、比較手段１５が比較するユーザ情報の氏名、住所、本籍、生年月日、・・・が一つでも一致しない場合には、表示手段１７に「データが一致していません」というようなメッセージを表示したり警告音を出力することにより警告を行う。
【００２７】
銀行の従業員は、入力手段から正しいユーザ情報、受付番号を入力する。
比較手段１５が比較するユーザ情報の氏名、住所、本籍、生年月日、・・・が全て一致する場合には、ユーザ情報蓄積手段１９は、ユーザ情報をユーザ情報蓄積手段１９に記録する。データ入出力手段２０は、銀行に設置されるＰＣなどの外部機器との間で、ユーザ情報の読み出しや修正を行う。
【００２８】
次に、本実施形態による認証装置１０ｂの動作について説明する。
図９は、本実施形態による認証装置１０ｂの処理の流れを示すフローチャートである。始めに、画像取込手段３は、ユーザから郵送された申込書をスキャニングすることにより、申込書の画像データを生成する。データ取得手段１２は、画像取込装置３から出力される画像データを取得する（ステップＳ３１）。
【００２９】
ユーザ情報抽出手段１３は、データ取得手段１２が取得した画像データの身分証明書添付欄の身分証明書の形状や枠などの情報と、フォーマット記憶手段１４に記憶されている身分証明書の形状や枠などの情報とを対比することにより、その身分証明書の種類を特定する。また、種類を特定した身分証明書のどの領域に何のユーザ情報が記載されているのかについて、フォーマット記憶手段１４を参照することにより特定する。また、申込書のどの領域に何のユーザ情報が記載されているのかについて、フォーマット記憶手段１４を参照することにより特定する。これらの情報に基づいて、身分証明書と申込書のユーザ情報を抽出する（ステップＳ３２）。
【００３０】
比較手段１５は、ユーザ情報抽出手段１３が抽出した身分証明書と申込書のユーザ情報を比較する（ステップＳ３３）。認証手段１６は、比較手段１５が比較した結果に基づいて、ユーザ情報に含まれる氏名、住所、本籍、生年月日、・・・等の情報が全て一致するか否かについて認証を行う（ステップＳ３４）。
受付番号、ユーザ情報に含まれる情報が一部でも一致しない場合には、ステップＳ３４で「Ｎｏ」と判定し、ステップＳ３５へ進む。そして、表示手段１７に「データが一致していません」等のメッセージを表示するなどの処理を行うことにより警告を発し、入力手段１８からユーザ情報の正しい情報を取得する（ステップＳ３５）。
【００３１】
一方、受付番号とユーザ情報に含まれる全ての情報が一致した場合には、ステップＳ３４で「Ｙｅｓ」と判定し、ステップＳ３６へ進む。そして、ユーザ情報をユーザ情報蓄積手段１９に記録する（ステップＳ３６）。銀行の従業員は、このユーザ情報蓄積手段１９に記録されているユーザ情報を、データ入出力手段２０を介して読み出すことにより、ユーザに対する銀行口座開設の処理を行う（ステップＳ３７）。
【００３２】
上述した実施形態によれば、銀行の従業員は、データ取得手段１２に申込書の画像データを入力するだけで、ユーザの認証を行うことができる。このため、従来のように申込書に記載されているユーザ情報を一枚一枚、ユーザの認証を行いながらキーボードから入力する必要がなくなる。よって、ユーザの認証を行う際の銀行の従業員等の労力を軽減することができ、早期にユーザの銀行口座を開設する等の処理を行うことができる。
【００３３】
なお、以上説明した実施形態において、図４、図８のユーザ情報抽出手段１３、比較手段１５、認証手段１６、などの機能を実現するためのプログラムをコンピュータ読み取り可能な記録媒体に記録して、この記録媒体に記録されたプログラムをコンピュータシステムに読み込ませ、実行することによりユーザ認証を行ってもよい。なお、ここでいう「コンピュータシステム」とは、ＯＳや周辺機器等のハードウェアを含むものとする。
【００３４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３５】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３６】
【図１】本発明の第１の実施形態による認証システムでのユーザと銀行の従業員との手続きの流れを示す図である。
【図２】ユーザ端末１の表示画面に表示される画面の一例を示す図である。
【図３】本実施形態による申込書の一例を示す図である。
【図４】本実施形態による認証装置１０ａの構成を示すブロック図である。
【図５】本実施形態による認証装置１０ａの処理の流れを示すフローチャートである。
【図６】本発明の第２の実施形態による認証システムでのユーザと銀行の従業員との手続きの流れを示す図である。
【図７】本実施形態による申込書の一例を示す図である。
【図８】本実施形態による認証装置１０ｂの構成を示すブロック図である。
【図９】本実施形態による認証装置１０ｂの処理の流れを示すフローチャートである。
【符号の説明】
【００３７】
１・・・ユーザ端末、２・・・ネットワーク、３・・・画像読取装置、１０ａ、１０ｂ・・・認証装置、１１・・・通信手段、１２・・・データ取得手段、１３・・・ユーザ情報抽出手段、１４・・・フォーマット記憶手段、１５・・・比較手段、１６・・・認証手段、１７・・・表示手段、１８・・・入力手段、１９・・・ユーザ情報蓄積手段、２０・・・データ入出力手段
【図１】
2006345062.tif 000003
【図２】
2006345062.tif 000004
【図３】
2006345062.tif 000005
【図４】
2006345062.tif 000006
【図５】
2006345062.tif 000007
【図６】
2006345062.tif 000008
【図７】
2006345062.tif 000009
【図８】
2006345062.tif 000010
【図９】
2006345062.tif 000011